(57)【特許請求の範囲】
【請求項１】
所定のサーバにアクセスし、該サーバが提供する機能を実行する通信端末であって、
自端末と通信する他端末の実行可能な通信に係わる情報を取得する他端末情報取得手段と、
前記他端末情報取得手段が取得した他端末の情報を分析して、他端末および自端末が利用可能な前記サーバを選択するサーバ選択手段と、
前記サーバ選択手段が選択したサーバへのアクセスに係る情報を、他端末に通知するアクセス情報通知手段と、
前記他端末からサーバへのアクセスに係わる情報を受信するアクセス情報受信手段と、
前記サーバ選択手段で選択したサーバもしくは、前記アクセス情報受信手段で受信したサー
バへのアクセスに係わる情報によりサーバにアクセスするサーバアクセス手段と、を有する
ことを特徴とする複数サーバを利用した通信端末。
【請求項２】
通信端末が一以上のサーバを利用して通信を行う通信方法であって、
他端末に対する通信開始操作がなされた場合に、該他端末の実行可能な通信に係わる情報を取得して、該情報に応じてサーバを選択してアクセスすると共に、該選択したサーバへのアクセスに係わる情報を他端末に送信し、
他端末からサーバへのアクセスに係わる情報を受信したならば、該サーバへアクセスする
ことを特徴とする複数サーバを利用した通信方法。
【発明の詳細な説明】
【技術分野】
【０００１】
本発明は通信端末に関し、特に外部のサーバのサービスを利用して通信を行う技術に関する。
【背景技術】
【０００２】
従来、送信者と受信者双方の状況に適した通信方法として特許文献１の技術がある。
【０００３】
特許文献１には、送信者または受信者の状況に応じてテキスト-音声変換をして通信する技術が開示されている。
具体的には、メールサーバが、通信端末から送信される電子メールの属性に応じて、メール本文を音声合成して音声ファイルを生成し、生成した音声ファイルを添付して通信相手にメール送信する。または、生成した音声ファイルをサーバに格納し、この音声ファイルにアクセスするための情報を送信メールに付加して通信相手に送信する。メールを受信した通信相手は、予め定められた条件に従って、電子メールに添付された音声ファイルまたはサーバに格納された音声ファイルを取得して再生する。
【先行技術文献】
【特許文献】
【０００４】
【特許文献１】特開２００８−７１０５２号公報
【発明の概要】
【発明が解決しようとする課題】
【０００５】
しかしながら特許文献１のメディア変換システムは、メールサーバや呼制御サーバ等のネットワーク上の通信制御機能に専用のメディア変換機能や、音声ファイルを添付するなどのメール再構成機能を搭載する必要がある。この場合、音声合成処理だけでなく音声認識処理など新たな機能を利用するためには、ネットワークの通信制御機能そのものを作り直す必要がある。
従って、日々高性能・高機能化するメディア変換技術などを使ったサービスに、迅速かつ柔軟に対応できない。
【０００６】
本発明は、上記事情に鑑みてなされたものであり、本発明の目的は、ネットワーク上のサーバ装置や制御装置で提供される既存の通信制御機能をそのまま用いて、通信端末の状態に応じたサービスを実現する技術を提供することにある。
【課題を解決するための手段】
【０００７】
上記課題を解決するために、本発明は、通信端末が、相手通信端末の状態を取得し、相手通信端末の状態に関連付けて予め登録されているサーバを選択する。そして、選択したサーバにアクセスしてサーバが提供するサービスを受ける。さらに、選択したサーバのサービスを受けるためのサーバ情報（アクセス情報（ＵＲＬ、ログイン名、パスワード）とアカウント情報（ＩＤ、パスワー））を相手通信端末に送信する。また、相手通信端末から前記サーバ情報を取得し、相手通信端末が利用するサーバのサービスを受ける。
【０００８】
例えば、本発明は、所定のサーバにアクセスし、該サーバが提供する機能を実行する通信端末であって、自端末と通信する他端末の実行可能な通信に係わる情報を取得する他端末情報取得手段と、前記他端末情報取得手段が取得した他端末の情報を分析して、他端末および自端末が利用可能な前記サーバを選択するサーバ選択手段と、前記サーバ選択手段が選択したサーバへのアクセスに係る情報を、他端末に通知するアクセス情報通知手段と、前記他端末からサーバへのアクセスに係わる情報を受信するアクセス情報受信手段と、前記サーバ選択手段で選択したサーバもしくは、前記アクセス情報受信手段で受信したサーバへのアクセスに係わる情報によりサーバにアクセスするサーバアクセス手段と、を有することを特徴とする。
【発明の効果】
【０００９】
本発明によれば、ネットワーク上の通信制御機能を変更または追加することなく、通信端末の状態に応じた適切な情報サービスの提供を実現することができる。
【図面の簡単な説明】
【００１０】
【図１】図１は、本発明の実施の形態に係わる通信端末１が接続されるシステムの一例を示す構成図である。
【図２】図２の（Ａ）は、本実施の形態に係わる通信端末１−Ａから通信端末１−Ｂに電話発信する場合の動作の一例を示すシーケンス図であり、図２の（Ｂ）は、本実施の形態に係わる通信端末１−Ａから通信端末１−Ｂにメール送信する場合の動作の一例を示すシーケンス図である。
【図３】図３は、本発明の実施の形態に係わる通信端末１の概略機能構成図である。
【図４】図４は、本実施の形態に係わる通信端末１のサーバ登録部１０４の登録内容を模式的に表した図である。
【図５】図５は、本実施の形態に係わる通信端末１の、電話発信およびメール送信の動作を説明するための動作フロー図である。
【図６】図６は、本実施の形態に係わる通信端末１の、相手通信端末１から状態通知要求を受け付け、自端末の状態を相手通信端末１に送信する動作と、相手通信端末１からサーバ３へのアクセス情報とアカウント情報を受け付け、そのサーバ３にアクセスする動作を説明するための動作フロー図である。
【発明を実施するための形態】
【００１１】
以下に、本発明の実施の形態について説明する。
【００１２】
図１は、本発明の実施の形態に係わる通信端末１（１−Ａおよび１−Ｂ）が接続されるシステムの一例を示す構成図である。
【００１３】
通信端末１−Ａと通信端末１−Ｂは、ＷＡＮ（Ｗｉｄｅ  Ａｒｅａ  Ｎｅｔｗｏｒｋ）を介して通信（電話やメール）を行う。
【００１４】
又、通信端末１−Ａと１−Ｂは、ＷＡＮに接続された複数のサーバにアクセスすることができる。通信端末１−Ａと１−Ｂは、相互にサーバ情報（サーバへのアクセス情報（ＵＲＬ（Ｕｎｉｆｏｒｍ  Ｒｅｓｏｕｒｃｅ  Ｌｏｃａｔｏｒ）、ログイン名、パスワード）とサーバとの間で情報を送受信するためのアカウント情報（ＩＤ、パスワード））を通知しあうことで、前記通信（電話やメール）と連動してサーバを介した情報共有を実現する。
【００１５】
又、通信端末１−Ａと通信端末１−Ｂは、相手通信端末に状態の通知を要求する状態通知要求機能と、相手通信端末の要求に従い、自端末の状態を通知する状態通知機能を有し、相手通信端末の状態に応じて情報を共有するためのサーバを選択する。ここで通信端末の状態とは話中状態、着信拒否設定の状態、メールソフト未起動の状態、通話優先設定の状態などである。
【００１６】
本実施の形態では、２つのサーバで情報共有する例を説明する。サーバ２−Ａは音声をテキストに変換するメディア変換サーバであり、サーバ２−Ｂはテキストを音声に変換するメディア変換サーバである。従って、通信端末１−Ａと１−Ｂで共有する情報は、音声から変換されたテキスト情報と、テキストから変換された音声情報である。
【００１７】
図２（Ａ）は、本実施の形態に係わる通信端末１−Ａから通信端末１−Ｂに電話発信操作した場合にサーバ２−Ａを利用して通信する動作の一例を示すシーケンス図である。尚、通信端末１−Ａと１−Ｂの間で送受信されるサーバ情報（サーバへのアクセス情報、アカウント情報）、状態通知要求、状態通知にはインスタントメッセージを利用する。
【００１８】
通信端末１−Ａは、ユーザの電話発信の操作を受け付けると（Ｓ１０１）、発信先の通信端末１−Ｂに状態の通知を要求するための状態通知要求を送信する（Ｓ１０２）。
【００１９】
通信端末１−Ａから状態通知要求を受信した通信端末１−Ｂは、自端末の状態を検出し（Ｓ１０３）、検出した状態（ここでは着信拒否設定状態とする）を状態通知として通信端末１−Ａに送信する（Ｓ１０４）。
【００２０】
通信端末１−Ｂから状態通知を受信した通信端末１−Ａは、その状態通知の内容（着信拒否設定状態）をもとに、メディア変換するためのサーバを選択する（Ｓ１０５）。ここでは、発信先の通信端末が着信拒否設定されている場合にサーバ２−Ａを選択するようになっている。
【００２１】
次に、通信端末１−Ａは、選択したサーバ２−Ａにアクセスする（Ｓ１０６）。具体的にはＨＴＴＰ（Ｈｙｐｅｒ  Ｔｅｘｔ  Ｔｒａｎｓｆｅｒ  Ｐｒｏｔｏｃｏｌ）クライアントを起動し、サーバ２−ＡのＵＲＬを指定してアクセスする。更に、サーバ２−Ａのサービス（音声−テキスト変換サービス）に対するログイン名、パスワードを送信する。
【００２２】
次に、通信端末１−Ａは、サーバ２−Ａから今回サービス（音声−テキスト変換）を受ける情報に対するアカウント（ＩＤとパスワード）を受信する（Ｓ１０７）。尚、ここではサーバ２−Ａが自動的にＩＤとパスワードを生成して送信するものとする。
【００２３】
次に、通信端末１−Ａは、ユーザが発話した音声を受付けると（Ｓ１０８）、受付けた音声を音声情報としてサーバ２−Ａに送信する（Ｓ１０９）。
【００２４】
サーバ２−Ａは受信した音声情報をテキスト情報に変換する（Ｓ１１０）。尚、変換したテキスト情報は、Ｓ１０７で通信端末１−Ａに送信したアカウントに関連付けて保存される。
【００２５】
通信端末１−Ａは、通信端末１−Ｂに、ステップ１０５で選択したサーバ情報（サーバ２−Ａのアクセス情報（ＵＲＬ、ログイン名、パスワード）と、ステップ１０７でサーバ２−Ａから受信したアカウント情報（ＩＤ、パスワード））を送信する（Ｓ１１１）。
【００２６】
通信端末１−Ａからサーバへのアクセス情報とアカウント情報を受信した通信端末１−Ｂは、サーバ２−Ａにアクセスする（Ｓ１１２）。具体的にはＨＴＴＰクライアントを起動し、サーバ２−ＡのＵＲＬを指定してアクセスする。更に、サーバ２−Ａのサービス（音声−テキスト変換サービス）に対するログイン名、パスワードを送信する。
【００２７】
次に、通信端末１−Ｂは、通信端末１−Ａから受信したアカウント情報（ＩＤ、パスワード）をサーバ２−Ａに送信する（Ｓ１１３）。
【００２８】
アカウント情報を受信したサーバ２−Ａは、受信したアカウント情報と関連付けて保存されているテキスト情報を通信端末１−Ｂに送信する（Ｓ１１４）。
【００２９】
テキスト情報を受信した通信端末１−Ｂは、受信したテキスト情報をＬＣＤなどの表示器に表示する（Ｓ１１５）。
【００３０】
図２（Ｂ）は、本実施の形態に係わる通信端末１−Ａから通信端末１−Ｂにメール送信操作した場合に、サーバ２−Ｂを利用して通信する動作の一例を示すシーケンス図である。
通信端末１−Ａは、ユーザからのメール送信操作を受け付けると（Ｓ１１６）、送信先の通信端末１−Ｂに状態の通知を要求するための状態通知要求を送信する（Ｓ１１７）。
【００３１】
通信端末１−Ａから状態通知要求を受信した通信端末１−Ｂは、自端末の状態を検出し（Ｓ１１８）、検出した状態（ここではメールソフト未起動状態）を状態通知として通信端末１−Ａに送信する（Ｓ１１９）。
【００３２】
通信端末１−Ｂから状態通知を受信した通信端末１−Ａは、その状態通知の内容（メールソフト未起動状態）をもとに、情報を共有するためのサーバを選択する（Ｓ１２０）。ここでは、メール送信先の通信端末がメールソフト未起動の場合、サーバ２−Ｂを選択するようになっている。
【００３３】
次に、通信端末１−Ａは、選択したサーバ２−Ｂにアクセスする（Ｓ１２１）。具体的にはＨＴＴＰクライアントを起動し、サーバ２−ＢのＵＲＬを指定してアクセスする。更に、サーバ２−Ｂのサービス（テキスト−音声変換サービス）に対するログイン名、パスワードを送信する。
【００３４】
次に、通信端末１−Ａは、サーバ２−Ｂから今回サービス（テキスト−音声変換）を受ける情報に対するアカウント（ＩＤとパスワード）を受信する（Ｓ１２２）。尚、ここではサーバ２−Ｂが自動的にＩＤとパスワードを生成して送信するものとする。
【００３５】
次に、通信端末１−Ａは、ユーザが送信操作を行ったメール本文のテキスト情報をサーバ２−Ｂに送信する（Ｓ１２３）。
【００３６】
サーバ２−Ｂは受信したテキスト情報を音声情報に変換する（Ｓ１２４）。尚、変換した音声情報はＳ１２２で通信端末１−Ａに送信したアカウントに関連付けて保存される。
【００３７】
通信端末１−Ａは、通信端末１−Ｂに、サーバ情報（サーバ２−Ｂへのアクセス情報（ＵＲＬ、ログイン名、パスワード）と、Ｓ１２２でサーバ２−Ｂから受信したアカウント情報（ＩＤ、パスワード））を送信する（Ｓ１２５）。
【００３８】
通信端末１−Ａからサーバ情報を受信した通信端末１−Ｂは、サーバ２−Ｂにアクセスする（Ｓ１２６）。具体的にはＨＴＴＰクライアントを起動し、サーバ２−ＢのＵＲＬを指定してアクセスする。更に、サーバ２−Ｂのサービス（テキスト−音声変換サービス）に対するログイン名、パスワードを送信する。
【００３９】
次に、通信端末１−Ｂは、アカウント情報（ＩＤ、パスワード）をサーバ２−Ｂに送信する（Ｓ１２７）。
【００４０】
アカウント情報を受信したサーバ２−Ｂは、受信したアカウント情報と関連付けて保存されている音声情報を通信端末１−Ｂに送信する（Ｓ１２８）。
【００４１】
音声情報を受信した通信端末１−Ｂは、受信した音声情報をスピーカなどから出力する（Ｓ１２９）。
【００４２】
図３は、本発明の実施の形態に係わる通信端末１の概略機能構成図である。
【００４３】
図示するように、本実施の形態に係わる通信端末１は、通信インターフェース部１００と、マンマシンインターフェース部１０１と、電話・メール機能部１０２と、相手通信端末状態取得部１０３と、サーバ登録部１０４と、サーバ選択部１０５と、サーバ情報送信部１０６と、サーバアクセス部１０７と、メディア送信部１０８と、サーバ情報受信部１０９と、メディア受信部１１０と、状態通知部１１１と、状態検出部１１２と、を有する。
【００４４】
通信インターフェース部１００は、ＷＡＮ３を介した相手通信端末１との電話発着信、メール送受信や、各種サーバとの情報送受信を行うためのインターフェースである。
【００４５】
マンマシンインターフェース部１０１は、ユーザが電話、メールおよび各種操作を行うためのインターフェースであり、図示していないが、ハンドセット、スピーカ、フックボタン、ダイヤルキー等の操作部、およびＬＣＤ等の表示部を備える。
【００４６】
電話・メール機能部１０２は、電話の発着信・通話や、ＳＭＴＰ、ＰＯＰ３等の通信プロトコルに従ったメールの送受信を、通信インターフェース部１００を介して行う。
【００４７】
相手通信端末状態取得部１０３は、通信インターフェース部１００を介して相手通信端末１に状態通知要求を送信し、相手通信端末１から状態通知を受信する。尚、相手通信端末１へ状態通知要求を送信するインスタントメッセージ用アドレスは、電話番号とメールアドレスに関連付けて、電話・メール機能部１０２に登録されている。相手通信端末状態取得部１０３は、相手通信端末１から受信した状態通知の内容を相手通信端末１のインスタントメッセージ用アドレスと共に、サーバ選択部１０５に引き渡す。
【００４８】
サーバ登録部１０４は、サーバ２のアクセス情報（ＵＲＬ、ログイン名、パスワード）と相手通信端末１の状態を関連付けて登録する。登録は、ユーザがマンマシンインターフェース部１０１を介して行う。登録の内容を図４を使って説明する。
【００４９】
図４は、サーバ登録部１０４の登録内容を模式的に表した図である。
【００５０】
サーバ登録レコード１０４０毎に、複数のサーバ２が登録される。
【００５１】
フィールド１０４１は、サーバ名フィールドであり、本説明では音声−テキスト変換サーバと、テキスト−音声変換サーバが登録されている。
【００５２】
フィールド１０４２は、サーバ２へのアクセス情報フィールドであり、アクセス情報（ＵＲＬ、ログイン名、パスワード）が登録される。
【００５３】
フィールド１０４３は、相手通信端末状態フィールドであり、相手通信端末１との間でサーバ２を利用して情報共有を行う条件となる相手通信端末１の状態が登録される。本説明では、相手通信端末１が話中状態、不在状態、着信拒否設定状態の時、音声−テキスト変換サーバを利用して情報を共有する内容で登録されている。また、相手通信端末１が、メーラ（メールソフト）未起動状態、通話優先設定状態、表示器占有中状態の時、テキスト−音声変換サーバを利用して情報共有するよう登録されている。
【００５４】
図３に戻って説明を続ける。
【００５５】
サーバ選択部１０５は、相手通信端末状態取得部１０３から引き渡された相手通信端末１の状態に応じて、サーバ登録部１０４からサーバ２を選択する。具体的には、サーバ登録部１０４のフィールド１０４３に相手通信端末の状態と一致する内容が登録されているレコード１０４０を選択する。サーバ選択部１０５は、選択したサーバ２（レコード１０４０）のアクセス情報（フィールド１０４２）を、相手通信端末１のインスタントメッセージ用アドレスと共に、サーバ情報送信部１０６とサーバアクセス部１０９に引き渡す。尚、該当するサーバ２が登録されていない場合、電話・メール機能部１０２に通知し、通常の電話発信もしくはメールの送信を起動する。
【００５６】
サーバ情報送信部１０６は、サーバ選択部１０５から引き渡された相手通信端末１のインスタントメッセージ用アドレス宛に、選択されたサーバ２へのアクセス情報（ＵＲＬ、ログイン名、パスワード）を送信する。また、同様にサーバアクセス部１０７から共有する情報のアカウント情報（ＩＤ、パスワード）を取得し、相手通信端末１へ送信する。
【００５７】
サーバアクセス部１０７は、サーバ選択部１０５から取得したアクセス情報（ＵＲＬ、ログイン名、パスワード）をもとに、通信インターフェース部１００を介してサーバ２にアクセスして、共有する情報へのアカウント情報（ＩＤ、パスワード）を取得する。そして、メディア送信部１０８から取得したメディア（音声情報またはテキスト情報）をサーバ２に送信する。
【００５８】
サーバアクセス部１０７は、サーバ情報受信部１０９から取得したアクセス情報（ＵＲＬ、ログイン名、パスワード）をもとに、通信インターフェース部１００を介してサーバ２にアクセスし、サーバ情報受信部１０９から取得したアカウント情報（ＩＤ、パスワード）をサーバ２に送信する。これにより、メディア（音声情報またはテキスト情報）をサーバ２から受信し、メディア受信部１１０に引き渡す。
【００５９】
サーバ情報受信部１０９は、相手通信端末１から共有するサーバ２のアクセス情報（ＵＲＬ、ログイン名、パスワード）およびメディア（音声情報またはテキスト情報）へのアカウント情報（ＩＤ、パスワード）を受信し、サーバアクセス部１０７に引き渡す。
【００６０】
メディア送信部１０８は、サーバ２に送信するメディア（音声情報またはテキスト情報）を電話・メール機能部１０２から取得し、サーバアクセス部１０７に引き渡す。
【００６１】
メディア受信部１１０は、サーバアクセス部１０７がサーバ２から受信したメディア（音声情報またはテキスト情報）を取得し、電話・メール機能部に引き渡す。
【００６２】
状態通知部１１１は、通信インターフェース部１００を介して相手通信端末１から状態通知要求を受信する。そして状態検出部１１２から自通信端末１の状態を取得し、状態通知要求を送信した相手通信端末１に状態通知として送信する。
【００６３】
状態検出部１１２は、自通信端末１の状態を予め定められた項目に従い、電話・メール機能部１０２やマンマシンインターフェース部１０１から検出し、状態通知部１１１に引き渡す。
【００６４】
図５は、本実施の形態に係わる通信端末１の、電話発信およびメール送信の動作を説明するための動作フロー図である。このフローは、通信端末１がユーザの電話発信またはメール送信操作を受け付けることで開始される。
【００６５】
まず、相手通信端末状態取得部１０３が、電話・メール機能部１０２の指示（相手通信端末１のインスタントメッセージ用アドレスを含む状態通知要求の送信指示）により、相手通信端末１に状態通知要求を送信する（Ｓ２０１）。
【００６６】
つぎに、相手通信端末状態取得部１０３は、状態通知要求送信後所定時間経過してタイムアウトするまで（Ｓ２０９  ＹＥＳ）、相手通信端末１からの状態通知を待つ（Ｓ２０２）。相手通信端末状態取得部１０３は、相手通信端末１からの状態通知を受信すると（Ｓ２０２  ＹＥＳ）、その状態通知の内容と、通信相手端末１へのインスタントメッセージ用アドレスをサーバ選択部１０５に引き渡す。
【００６７】
サーバ選択部１０５は、相手通信端末状態取得部１０３から引き渡された通信相手端末１の状態通知内容をもとに、サーバ登録部１０４を検索する（Ｓ２０３）。具体的には、サーバ登録部１０４のフィールド１０４３に相手通信端末の状態と一致する内容が登録されているレコード１０４０を検索する。
【００６８】
サーバ選択部１０５は、サーバ登録部１０４を検索して該当するサーバの登録が存在した場合に（Ｓ２０４  ＹＥＳ）、そのサーバを選択し（レコード１０４０を選択）、そのアクセス情報（ＵＲＬ、ログイン名、パスワード）をサーバアクセス部１０７に引き渡す。また、相手通信端末状態取得部１０３から引き渡された相手通信端末１のインスタントメッセージ用アドレスと共にサーバへのアクセス情報（ＵＲＬ、ログイン名、パスワード）をサーバ情報送信部１０６に引き渡す。
【００６９】
サーバアクセス部１０７は、サーバ選択部１０５から引き渡されたサーバへのアクセス情報（ＵＲＬ、ログイン名、パスワード）に従い、サーバ２にアクセスする（Ｓ２０５）。具体的にはＨＴＴＰクライアントを起動し、サーバ２のＵＲＬを指定してアクセスする。更に、サーバ２のサービスに対するログイン名、パスワードを送信する。
【００７０】
つぎに、サーバアクセス部１０７は、サーバ２からアカウント情報（ＩＤ、パスワード）を取得し（Ｓ２０６）、メディア送信部１０８からのメディア（音声情報またはテキスト情報）をサーバに送信する（Ｓ２０７）。更に、サーバ２から取得したアカウント情報（ＩＤ、パスワード）をサーバ情報送信部１０６に引き渡す。
【００７１】
サーバ情報送信部１０６は、相手通信端末１のインスタントメッセージ用アドレス宛に、サーバ２へのアクセス情報（ＵＲＬ、ログイン名、パスワード）とアカウント情報（ＩＤ、パスワード）を通信インターフェース部１００を介して送信し（Ｓ２０８）、本フローを終了する。
【００７２】
相手通信端末状態取得部１０３は、Ｓ２０２で相手通信端末１に状態通知要求を送信してから所定の時間を経過しても状態通知を受信しない場合（Ｓ２０９  ＹＥＳ）、通常の電話発信またはメール送信処理を起動して（Ｓ２１０）、本フローを終了する。
【００７３】
サーバ選択部１０５は、相手通信端末１の状態に対応したサーバが登録されていない場合（Ｓ２０４  ＮＯ）、通常の電話発信またはメール送信処理を起動して（Ｓ２１０）、本フローを終了する。
【００７４】
図６は、本実施の形態に係わる通信端末１の、相手通信端末１から状態通知要求を受け付け、自端末の状態を相手通信端末１に送信する動作と、相手通信端末１からサーバ３へのアクセス情報とアカウント情報を受け付け、そのサーバ３にアクセスする動作を説明するための動作フロー図である。このフローは、通信端末１が電源投入など起動した後に開始される。
【００７５】
状態通知部１１１は、相手通信端末１からの状態通知要求の受信を待つ（Ｓ３０１）。また、サーバ情報受信部１０９は、相手通信端末１からのサーバへのアクセス情報（ＵＲＬ、ログイン名、パスワード）とアカウント情報（ＩＤとパスワード）の受信を待つ（Ｓ３０４）。
【００７６】
状態通知部１１１は、相手通信端末１から状態通知要求を受信すると（Ｓ３０１  ＹＥＳ）、状態検出部１１２から自通信端末１の状態を取得する（Ｓ３０２）。そして、状態通知要求を送信した相手通信端末１宛に取得した自通信端末１の状態を送信し（Ｓ３０３）、ステップ３０１に戻る。
【００７７】
サーバ情報受信部１０９は、相手通信端末１から、サーバへのアクセス情報（ＵＲＬ、ログイン名、パスワード）とアカウント情報（ＩＤとパスワード）を受信すると（Ｓ３０４  ＹＥＳ）、その情報をサーバアクセス部１０７に引き渡す。
【００７８】
サーバアクセス部１０７は、サーバ情報受信部１０９から引き渡されたサーバへのアクセス情報（ＵＲＬ、ログイン名、パスワード）に従い、サーバ２にアクセスする（Ｓ３０５）。具体的にはＨＴＴＰクライアントを起動し、サーバ２のＵＲＬを指定してアクセスする。更に、サーバ２のサービスに対するログイン名、パスワードを送信する。
【００７９】
つぎに、サーバアクセス部１０７は、サーバ情報受信部１０９から引き渡されたアカウント情報（ＩＤとパスワード）をサーバ２に送信する（Ｓ３０６）。そうすることで、サーバアクセス部１０７はサーバ２からメディア（音声情報またはテキスト情報）を受信する（Ｓ３０７）。
【００８０】
サーバ２からメディアを受信したサーバアクセス部１０７は、受信したメディアをメディア受信部１１０に引き渡す。
【００８１】
メディア受信部１１０は、サーバアクセス部１０７から引き渡されたメディアを、電話・メール起動部１０２を経由して出力し（Ｓ３０８）、ステップ３０１に戻る。このとき、メディアによって出力先を変える。例えば、音声情報であればスピーカから出力し、テキスト情報であればＬＣＤに表示する。
【００８２】
以上、本発明の実施の形態について説明した。
【００８３】
本実施の形態に係わる通信端末１は、電話やメールによる通信を開始する時に、当該通信の宛先となる相手通信端末１の状態を取得し、取得した相手通信端末１の状態に応じて外部のサーバ２を選択する。そして、相手通信端末１と共有する情報（音声情報またはテキスト情報）をサーバ２に送信する。
【００８４】
また、相手通信端末１から状態通知要求を受信した場合に、自端末の状態を検出して相手通信端末１にその状態通知を送信することで、相手通信端末１から情報（音声情報またはテキスト情報）を共有するサーバ２へのアクセス情報（ＵＲＬ、ログイン名、パスワード）と、共有する情報に対するアカウント情報（ＩＤ、パスワード）を取得する。そして、サーバ２へアクセスして相手通信端末１と共有する情報（音声情報またはテキスト情報）を取得する。
【００８５】
したがって、本実施の形態によれば、相手通信端末１の状態によって、音声情報をテキスト情報（またはその逆）に変換して伝えたい場合に、変換処理を行わせる適切なサーバを選択して利用することができる。
【００８６】
なお、本実施の形態では、音声情報とテキスト情報の変換に係わるサーバを利用する例で説明したが、本発明はこれに限定されない。例えば、テレビ会議サーバや音声会議サーバを登録し、相手通信端末１が画像を受信して処理できる状態の場合にテレビ会議サーバを選択し、そうでない場合に音声会議サーバを選択するようにしても良い。
【００８７】
また、複数の翻訳サーバを登録し、相手通信端末１の利用言語が、自通信端末１の言語と異なる場合に、相手通信端末１の利用言語への翻訳サーバを選択するようにしても良い。
【００８８】
また、複数のファイル変換サーバを登録し、相手通信端末１がどのファイルに対応したアプリケーションソフトをインストールしているかを取得し、相手のアプリケーションソフトのファイル形式に変換するファイル変換サーバを選択するようにしても良い。
【００８９】
また、本実施の形態では、通信端末１を固定端末として説明しているが、携帯端末であっても良い。その場合、状態として、マナーモード設定状態、受信電波劣化状態、電池残量不足状態など携帯端末特有の状態を利用することができる。
【００９０】
また、本実施の形態では、通信端末１−Ａは通信端末１−Ｂに対して、状態通知要求を送信し、相手の状態を取得しているが、本願はこれに限定しない。例えば、第３の通信端末から取得してもよいし、通信端末の機能や能力が予め保存されているプロファイルサーバでもよいし、予め通信端末１−Ａが通信端末１−Ｂを監視し、自端末のＤＢに登録しておいてもよい。
【００９１】
また、本発明は上記の実施の形態に限定されるものではなく、その要旨の範囲内で数々の変形が可能である。
【００９２】
例えば、図３に示す通信端末１の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、モデム等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【符号の説明】
【００９３】
１−Ａ：通信端末、１−Ｂ：通信端末、２−Ａ：サーバ、２−Ｂ：サーバ、３：ＷＡＮ、１００：通信インターフェース部、１０１：マンマシンインターフェース部、１０２：電話・メール機能部、１０３：相手通信端末状態取得部、１０４：サーバ登録部、１０４０：サーバ登録レコード、１０４１：サーバ名フィールド、１０４２：アクセス情報フィールド、１０４３：相手通信端末状態フィールド、１０５：サーバ選択部、１０６：サーバ情報送信部、１０７：サーバアクセス部、１０８：メディア送信部、１０９：サーバ情報受信部、１１０：メディア受信部、１１１：状態通知部、１１２：状態検出部
【図１】
0005521945.tif 000002
【図２】
0005521945.tif 000003
【図３】
0005521945.tif 000004
【図４】
0005521945.tif 000005
【図５】
0005521945.tif 000006
【図６】
0005521945.tif 000007